(57)【要約】      （修正有）【課題】肛門が周囲の筋肉に押されることがないため、楽に且つ自然に、大きな腹圧をかけることなく排便ができる便座を提供する。【解決手段】便座１の構造は、２個の反った板部分２の幅の狭い部分２１は相対して向き合った形で設置され、水平方向に移動する。幅の狭い部分２１は傾斜した面であることから、２個の反った板部分２が相対して設置された時、両者間の開口部の前が広く、後ろが狭くなる。したがって、使用者が前記反った板部分２に座った時、反った板部分２自身が幅の広い部分２２と幅の狭い部分２１からなるＬ字型の形状であることにより、２個の反った板部分２がそれぞれ使用者の大腿部に接触した時、反った板部分２が外側に向かって移動し、肛門外側の臀部の筋肉も外に向かって移動させる。したがって、肛門は周囲の筋肉から押されることなく、楽に、力むことなく、自然な状態で排便が行える。【選択図】図５
0003152534.tif 000002
【実用新案登録請求の範囲】
【請求項１】
便座の左、右両側に位置するそれぞれＬ字型で長くてカーブした形状の弾力性を有する、反った板部分２から構成され、２個の反った板部分の幅の狭い部分は相対して向き合った形で設置され、水平方向に移動し、反った板部分底部と便座が連結する際、トーションバネがネジによって貫通されることで、その両側がそれぞれ反った板部分と便座に当たって接触し、２個の反った板部分の幅の狭い部分は傾斜した面であることから、２個の反った板部分２が相対して設置された時、両者間の開口部の前が広く、後ろが狭くなることにより、使用者が前記反った板部分に座った時、反った板部分自身が幅の広い部分と幅の狭い部分からなるＬ字型の形状であることにより、２個の反った板部分がそれぞれ使用者の大腿部を接触した時、反った板部分２が外側に向かって移動し、肛門外側の臀部の筋肉も外に向かって移動する。したがって、肛門は周囲の筋肉から押されることなく、楽に「力む」ことなく、自然な状態で排便が行えることを特徴とする便座。
【請求項２】
前記反った板部分は、幅の広い部分、幅の狭い部分からなるＬ字型のカーブを描いた形状であり、底部の連結箇所が幅の広い部分、幅の狭い部分の境目であること、２個の幅の狭い部分が相対して向き合う形で設置されることで、使用者が反った板部分に接触した時、幅の広い部分、幅の狭い部分の受ける力が異なることにより、自然に反った板部分が外に移動することを特徴とする請求項１に記載の便座。
【請求項３】
前記便座左、右両側に位置する、反った板部分は、水平方向に移動することにより、異なる使用者の体型に合わせて使用できることを特徴とする請求項１に記載の便座。
【請求項４】
前記反った板部分底部と便座が連結する時、さらに、トーションバネの両側がそれぞれ反った板部分と便座に当たって接触することにより、使用者が便座から立ち上がった時、トーションバネの弾力によって反った板部分が自動的に元に戻ることを特徴とする請求項１に記載の便座。
【考案の詳細な説明】
【技術分野】
【０００１】
本考案は便座の構造に関し、特に、使用者が前記便座に座った時、便座上部の反った板部分が幅の広い部分と幅の狭い部分からなり、Ｌ字状にカーブを描いていること、さらに、弾力性を有する設計になっていることから、使用者の大腿部が反った板部分に接触した後、反った板部分が外に移動し、肛門外側の臀部筋肉がそれに伴って外側に移動して、肛門が周囲の筋肉に押されることがないため、楽に且つ自然に、大きな腹圧をかけることなく排便ができる便座に関する。
【背景技術】
【０００２】
人が一生のうちにトイレで排便をする回数は数え切れない。また、それぞれの体質、生活様式及び飲食習慣、または、環境や情緒によっても、一日の排便回数が異なってくる。排便時の姿勢は、和式か洋式かによって異なり、和式便器の場合、大腿部を外に広げて上半身の体重をかけることで、臀部の筋肉もそれにつれて外に広がり、肛門も自然に多少引っ張られる。したがって、肛門自身の筋肉もリラックスした状態で、少し腹圧をかけただけでスムーズに排便が行える。しかしながら、個人の身体状況はそれぞれ異なり、排便の際に費やす時間は人によって異なる。排便に費やす時間が長くなると足がだるくなり、排便後に立ち上がるのが苦痛になる場合がある。
【０００３】
このため、洋式の便器が設計され、現在では洋式の便器を使用する場合が多くなっている。例えば、便器Ａ上に便座Ｂを設置して、使用者がその便器Ａ上に座って用を足すものである（図１、図２に示したとおり）。これは、現在の生活において最もよく見られる形式であるが欠点も存在する。このタイプの便器では、確かに使用者Ｃは楽に大腿部によって体重を支えることが可能で、楽な姿勢で排便を行うことができる。しかしながら、便座Ｂの面の大きさや面のカーブの程度によって、使用者Ｃ の臀部筋肉Ｃ１は座る位置の両側に向かって押し付けられて移動する（図２に示したとおり）。肛門Ｃ２の周辺が臀部肌肉Ｃ１によって押されて囲まれ、肛門Ｃ２自身の筋肉を刺激して収縮した状態になる。排便の際の肛門Ｃ２を塞ぐまではいかないまでも、便座Ｂの設計が使用者Ｃにより腹圧をかけざるを得ないようになっている。「排便」はリラックスした、負担のない状態で行う生理現象であるべきものである。しかしながら、このような従来の便座Ｂは、かえって肛門Ｃ２に対する負担を増して、腹圧をかけて排便する必要が生じる。長期間に及んだ場合、体に対する負担が大きくなる。特に、高血圧症の患者の場合、余計な「力み」は、血圧をさらに上昇させる要因となる。さらに、気温が低い時には、心臟への負担がより大きくなり、「力み」によって血圧が上がることは生命の危険をも招く恐れがある。これは、日常の生活習慣が生活習慣病の悪化を招く大きな要因ともなる。この点からも、高血圧症の患者の多くが便を柔らかくする薬を服用して、できる限り不要な「力み」を排除しようとする理由が伺える。
【考案の概要】
【考案が解決しようとする課題】
【０００４】
したがって、本考案は、肛門が周囲の筋肉に押されることがないため、楽に且つ自然に、大きな腹圧をかけることなく排便ができる便座を提供することを課題とする。
【課題を解決するための手段】
【０００５】
上記目的を達成するために、本考案の便座は、便座の左右両側にそれぞれＬ字形の長い形状のカーブした弾力性を有する、反った板部分から構成される。このうち、二つの反った板部分の幅の狭い部分は相対して向き合う形で設置されて、水平方向に移動する。さらに、反った板部分の底部が便座に設置される際、トーションバネを介してネジでスライド移動するように設置されることで、その両端がそれぞれ反った板部分と便座に当たって接触する。また、２個の反った板部分の幅の狭い部分が傾斜した面となっていることで、２個の反った板部分が相対して設置された時、両者の間の開口部は前が広く、後ろが狭くなる。使用者が便座に座った時、反った板部分自体の形態が、幅の広い部分、幅の狭い部分からなるＬ字型の形状をしているため、２個の反った板部分はそれぞれ使用者の大腿部に接触した時、反った板部分が外に移動し、それに伴って肛門外側の臀部の筋肉もまた外側に移動する。肛門が周囲の筋肉に押されないため、楽に且つ自然に、大きな腹圧をかけることなく排便ができることを特徴とする。
【０００６】
上記目的を達成するために、本考案の便座は、反った板部分が幅の広い部分、幅の狭い部分からなるＬ字型のカーブを描いた形状をしており、底部の連結箇所が幅の広い部分、幅の狭い部分との境目に位置し、２個の幅の狭い部分が互いに向き合って対応することで、使用者が反った板部分に接触した時、幅の広い部分、幅の狭い部分の受ける力が異なることにより、自然に反った板部分が外に向かって回転することを特徴とする。
【０００７】
上記目的を達成するために、本考案の便座は、前記便座の左右両方の位置にある、反った板部分は、水平方向に移動して異なる使用者の体型に対応することを特徴とする。
【０００８】
上記目的を達成するために、本考案の便座は、反った板部分がカーブを描いていることで、人体工学の原理に即した、使いやすい設計となっていることを特徴とする。
【０００９】
上記目的を達成するために、本考案の便座は、前記便座の左、右両側に位置する、反った板部分の幅の狭い部分は、傾斜した面を有し、使用者が座った時に大腿部がやや開くという習慣に合わせて、２個の反った板部分の間の開口部分は前が広く後ろが狭くなっていることを特徴とする。
【００１０】
上記目的を達成するために、本考案の便座は、前記便座の左、右両側に位置する、反った板部分は、弾力性を有し、大腿部が反った板部分に接触した時に痛みや不快感を感じることがないことを特徴とする。
【００１１】
上記目的を達成するために、本考案の便座は、前記反った板部分の底部と便器が連結される際、トーションバネの両側が反った板部分と便器に当たって接触することにより、使用者が便座から立ち上がった際に、トーションバネの弾力によって反った板部分が自動的に元に戻ることを特徴とする。
【００１２】
このように、本考案の便座は、使用者が反った板部分に座った時、反った板部分自身が幅の広い部分と幅の狭い部分からなるＬ字型の形状であることにより、２個の反った板部分がそれぞれ使用者の大腿部を接触した時、反った板部分２が外側に向かって移動し、肛門外側の臀部の筋肉も外に向かって移動する。したがって、肛門は周囲の筋肉から押されることなく、楽に「力む」ことなく、自然な状態で排便が行える。
【考案の効果】
【００１３】
本考案の便座は、使用者が反った板部分に座った時、反った板部分自身が幅の広い部分と幅の狭い部分からなるＬ字型の形状であることにより、２個の反った板部分がそれぞれ使用者の大腿部を接触した時、反った板部分２が外側に向かって移動し、肛門外側の臀部の筋肉も外に向かって移動する。したがって、肛門は周囲の筋肉から押されることなく、楽に「力む」ことなく、自然な状態で排便が行える。
【図面の簡単な説明】
【００１４】
【図１】従来の便器を示した図である。
【図２】従来の便器の実施例図である。
【図３】本考案の便器を示した図である。
【図４】本考案の便座を裏から見た状態の部分拡大図である。
【図５】本考案の組立後の立体図である。
【図６】本考案の組立後の断面図である。
【図７】本考案の実施例図（一）である。
【図８】本考案の実施例図（二）である。
【図９】本考案の板部分の断面図である。
【図１０】本考案の板部分の断面図である。
【考案を実施するための形態】
【００１５】
まず、図３、図４、図５を参照しながら説明する。本考案の便座の構造は、便座１の左、右両側位置するそれぞれＬ字型の長いカーブした形状の弾力性を有する、反った板部分２から構成される。前記反った板部分２は、幅の狭い部分２１、反った板部分２２が連なり、底部の連結部分が、幅の広い部分、幅の狭い部分の境目に位置する。このうち、反った板部分２はカーブを描いていると掃除に、適度な弾力性を有するため、人体工学の原理に即しており、座り心地がよいので、大腿部が反った板部分２に座った時に痛みや不快感を感じることがない。さらに、反った板部分２底部と便座１が連結する際に、トーションバネ３がネジ２Ａによって貫通されることで、その両側がそれぞれネジ２と便座１に当たって接触する。さらに、２個の反った板部分２の幅の狭い部分２１は、傾斜した面を有しており、使用者Ｃが便座に座った際に、大腿部がやや外に開く習慣に合わせて、２個の反った板部分２の間の開口部の前が広く後ろが狭くなっている。
【００１６】
組立過程において、便座１の左、右両側に位置する、反った板部分２の幅の狭い部分２１は、相対して向き合うように設置される（図６に示したとおり）。さらに、水平方向に移動することで、使用者Ｃの体型に合わせて使用できる（図７、図８に示したとおり）。したがって、使用者が便座１に座った時、前記反った板部分２は幅の広い部分２２、幅の狭い部分２１がＬ字型でカーブした形態であること、底部の連結箇所の位置が幅の広い部分２２、幅の狭い部分２１の境目であること、幅の狭い部分２１が相対して向き合うことにより、２個の反った板部分２がそれぞれ使用者Ｃの大腿部と接触した時、幅の広い部分２２、幅の狭い部分２１の受ける力が異なることで、反った板部分２ が自然に外に向かって移動し、肛門Ｃ２外側の臀部の筋肉Ｃ１も外に向かって移動するため、肛門Ｃ２が周囲の筋肉に押されることがなく、楽に「力む」ことなく、自然な形で排便が行える。したがって、従来の和式便器や洋式便器の欠点を解決した。
【００１７】
そして、さらに、反った板部分２底部と便座１が連結される時、さらに、トーションバネ３の両側にそれぞれ反った板部分によって、反った板部分２と便座１に当たって接触することにより、使用者Ｃが便座１から立ち上がった時、トーションバネ３の弾力によって、反った板部分２が自動的に元に戻る（図９、図１０に示したとおり）。
【符号の説明】
【００１８】
１    便座
２    反った板部分
２１    幅の狭い部分
２２    幅の広い部分
２Ａ    ネジ
Ａ    便器
Ｂ．    便座
Ｃ    使用者
Ｃ１．    臀部筋肉
Ｃ２．    肛門
【図１】
0003152534.tif 000003
【図２】
0003152534.tif 000004
【図３】
0003152534.tif 000005
【図４】
0003152534.tif 000006
【図５】
0003152534.tif 000007
【図６】
0003152534.tif 000008
【図７】
0003152534.tif 000009
【図８】
0003152534.tif 000010
【図９】
0003152534.tif 000011
【図１０】
0003152534.tif 000012
【手続補正書】
【提出日】平成21年6月3日(2009.6.3)
【手続補正１】
【補正対象書類名】実用新案登録請求の範囲
【補正対象項目名】請求項１
【補正方法】変更
【補正の内容】
【請求項１】
便座の左、右両側に位置するそれぞれＬ字型で長くてカーブした形状の弾力性を有する、反った板部分２から構成され、２個の反った板部分の幅の狭い部分は相対して向き合った形で設置され、水平方向に移動し、反った板部分底部と便座が連結する際、トーションバネがネジによって貫通されることで、その両側がそれぞれ反った板部分と便座に当たって接触し、２個の反った板部分の幅の狭い部分は傾斜した面であることから、２個の反った板部分２が相対して設置された時、両者間の開口部の前が広く、後ろが狭くなることにより、使用者が前記反った板部分に座った時、反った板部分自身が幅の広い部分と幅の狭い部分からなるＬ字型の形状であることにより、２個の反った板部分がそれぞれ使用者の大腿部を接触した時、反った板部分２が外側に向かって移動し、肛門外側の臀部の筋肉も外に向かって移動し、したがって、肛門は周囲の筋肉から押されることなく、楽に、力むことなく、自然な状態で排便が行えることを特徴とする便座。